(57)【特許請求の範囲】
【請求項１】
引戸を閉める際にストライクに当たると錠ケースの第１水平案内部に案内されながら後退動するトリガーと、このトリガーが錠ケース内へと後退動する際、動力変換機構を介してストライクと掛合する方向へ回転する鎌片とを備える建具用引戸錠に於いて、前記動力変換機構は、前記トリガー２１に形成されたラック２６と、該ラックと噛合するように前記鎌片３０の軸支された基部３３に形成されたピニオン３１とから成り、また前記ストライクの前面に、戸枠としてのサッシの枠内に収まると共に閉戸時に錠ケースのフロント１１を基準として該フロント１１よりも錠ケース内に入りこむ所定長の押し込みピン７の取付け基端部を固定し、一方、前記トリガー２１は、開戸時、トリガーバネ２４のバネ力により錠ケース１０のフロント１１から若干突出する短杆状先端部２２と、この突出先端部２２に連設する横長状杆部２３とから成り、さらに、トリガー２１は、前記横長状杆部２３に係合突起２５を有し、引戸を閉める際、該トリガー２１は、前記先端部２２が前記押し込みピンに当たることにより、前記係合突起２５及び前記第１水平案内部１８を介して後退動することを特徴とする建具用引戸錠。
【請求項２】
請求項１に於いて、押し込みピン７Ａは、受け金具側のチリ設定に対応して、少なくとも２種類以上存在することを特徴とする建具用引戸錠。
【発明の詳細な説明】
【０００１】
【発明の属する技術分野】
本発明は、トリガーと、該トリガーに連動する鎌片とを備えた建具用引戸錠に関する。
【０００２】
【従来の技術】
従来、この種の建具用引戸錠は、例えば実開昭５７−１１０２６０号公報、特開平８−８６１３２号の各実施例に記載されているように、錠ケースのフロントから受け金具に向かって突出するトリガー（水平突出杆）は、相当長いものであった。その理由は、引戸の閉戸時、トリガーの先端面が受け金具のストライクの表面に当たり始めてからトリガーが後退し始め、動力変換機構を介して鎌片が回転するので、チリ寸法（チリについては後述する）が「０（ゼロ）」でなければ鎌片をストライクに対して完全に掛合状態にさせることができなかった。つまり、錠ケースに軸支された鎌片は、引戸が戸枠に「ぴったりと合った時（チリがゼロ）」に完全に突出する。
【０００３】
したがって、衣服を引っ掛ける恐れを少しでも解消するためにトリガーの突出量を少なくする、錠ケースのケース身に内装される複数個の部材との関係でトリガー自体の小型化を図る、所望するチリ設定をした状態で鎌片を完全に突出させる、選択設定したチリに対応する引戸錠を引戸に取り付けるなどの課題を達成することができなかった。
【０００４】
【発明が解決しようとする課題】
本発明は、以上のような従来の問題点に鑑み、第１の目的は、トリガーの突出量を少なくすることである。これにより、トリガー自体の小型化を図ることができる。第２の目的は、ストライク側の押し込みピンが日生活に於いて、違和感を与えず、また衣服を引っ掛ける恐れを少しでも解消することができることである。第３の目的は、ストライク側の押し込みピンに押されるトリガーが安定的に後退動することである。第４の目的は、受け金具側のチリ設定用押し込みピンを交換するたけで、選択設定したチリに対応する引戸錠を引戸に取り付けることができることである。
【０００５】
【課題を解決するための手段】
本発明の建具用引戸錠は、引戸を閉める際にストライクに当たると錠ケースの第１水平案内部に案内されながら後退動するトリガーと、このトリガーが錠ケース内へと後退動する際、動力変換機構を介してストライクと掛合する方向へ回転する鎌片とを備える建具用引戸錠に於いて、前記動力変換機構は、前記トリガー２１に形成されたラック２６と、該ラックと噛合するように前記鎌片３０の軸支された基部３３に形成されたピニオン３１とから成り、また前記ストライクの前面に、戸枠としてのサッシの枠内に収まると共に閉戸時に錠ケースのフロント１１を基準として該フロント１１よりも錠ケース内に入りこむ所定長の押し込みピン７の取付け基端部を固定し、一方、前記トリガー２１は、開戸時、トリガーバネ２４のバネ力により錠ケース１０のフロント１１から若干突出する短杆状先端部２２と、この突出先端部２２に連設する横長状杆部２３とから成り、さらに、トリガー２１は、前記横長状杆部２３に係合突起２５を有し、引戸を閉める際、該トリガー２１は、前記先端部２２が前記押し込みピンに当たることにより、前記係合突起２５及び前記第１水平案内部１８を介して後退動することを特徴とする。
【０００６】
上記構成に於いて、押し込みピン７Ａは、受け金具側のチリ設定に対応して、少なくとも２種類以上存在することを特徴とする。
【０００７】
【発明の実施の形態】
図１乃至図５に示す第１実施例を参照に本発明を説明する。
【０００８】
（１）発明の実施の環境と主要部材
まず図１を参照に発明の実施の環境について説明する。Ｘは引戸１の中に収められる彫り込み型又は引戸面に固定的に取り付けられる面付け型引戸錠である。一方、Ｙは戸枠２に固定的に取り付けられた受け金具で、この受け金具Ｙは、ボックス部を有するトロヨケ３と、このトロヨケ３の開口に重ね合わせられたストライク（受座）４とから成る。ストライク４は縦長板状に形成され、複数個の固着手段５を介してトロヨケ３の耳状取付け部に固定される。
【０００９】
ところで、本実施例では、前記ストライク４の縦長窓６寄りの適宜部位に、水平状態の押し込みピン７（主要部材）が固定的に突設されている。この押し込みピン７は、本実施例ではトリガーの先端部に指向するようにストライク４の上部壁４ａにカシメ固定されている。したがって、ストライク４は、引戸１を閉める際に該押し込みピン７を介してトリガーを後退動させる。
【００１０】
また押し込みピン７は、日常生活において違和感を与えずかつ邪魔にならないような長さである。例えば図５は戸枠２がサッシ枠の場合であるが、このような場合、押し込みピン７の長さは、サッシ枠内に収まるように設定されている。
【００１１】
（２）錠ケース
次に図２を参照に錠ケースについて説明する。１０は引戸１の縦框に内装される錠ケースである。この錠ケース１０は、「枠状ケース身１０ａ」と、このケース身の大きい開口部を閉鎖する「板状ケース蓋１０ｂ」とから成る。錠ケース１０も引戸錠Ｘの一部を成す。１１は錠ケース１０の前側の開口に固定されたフロントである。このフロント１１は、普通一般に錠ケース１０の長板状蓋板（或いは前壁）１２に固定されている。１３は錠ケースを引戸１に固定するための第２固着手段である。１４は鎌片用出入り窓、一方、１５は鎌片用出入り窓１４の上方に設けられたトリガー用窓である。  ここで、錠ケース１０を構成するケース身１０ａとケース蓋１０ｂにそれぞれ形成された主な構成要件について説明する。なお、本発明の特定要件に関係のない部分は割愛する。
【００１２】
図２を基準にすると、１６はトリガーバネを支持するためにケース身１０ａの後壁１７に突出するように固定されたバネ支持部、１８，１８は前記後壁１７と直交するケース身１０ａとケース蓋１０ｂの壁面（これらは前後の側壁に相当する）にそれぞれ対向するように形成されたトリガー用水平案内部である。これらの水平案内部（第１水平案内部）１８，１８は、本実施例では水平案内長孔である。水平案内部１８，１８は、バネ支持部１６の水平ライン上に沿うように錠ケース１０に形成されている。１９は錠ケース１０（ケース身１０ａとケース蓋１０ｂの両方）の中央部に形成された鎌片支軸用軸孔、２０は本発明の構成要件には直接関係はないが、錠ケース１０に形成された操作片用の縦長窓である。
【００１３】
（３）トリガー：進退動部材
次に図１及び図４を参照にトリガーについて説明する。２１は錠ケース１０内に摺動自在に装着されたトリガー（進退動部材）である。このトリガー２１は、開戸時に錠ケース１０のフロント１１から突出する短杆状先端部２２と、この突出先端部２２にやや幅広に連設する横長状杆部２３とから成る。
【００１４】
前記横長状杆部２３の後端面とケース身１０ａの後壁１７との間にはトリガーバネ２４が横方向に組込まれている。トリガーバネ２４は、その先端部が横長状杆部２３後端面に圧接し、一方、後端部はバネ支持部１６に支持されている。したがって、引戸１の開戸時、トリガー２１は、その先端部２２の一部が常時フロント１１から突出するように付勢されている。
【００１５】
ところで、前述したように、本実施例ではストライク４の前面に押し込みピン７が突設されているので、引戸１を閉める際に、トリガー２１は該押し込みピン７に直接押されて錠ケース１０内へと後退動する。受け金具Ｙを有する戸枠２と引戸錠Ｘを有する引戸１との間に設定した「チリ」の間隔、例えば１ｍｍ、３ｍｍ、５ｍｍなどチリ寸法如何にもよるが、例えば図４で示すようにチリａが１ｍｍ程度である時、押し込みピン７はトリガー用窓１５に貫通状態に入り込み、その結果、トリガー２１はトリガーバネ２４のバネ力に抗して錠ケース１０内に「スッポリ」と入り込んでいる。
【００１６】
トリガー２１は錠ケース内を後退動する時、錠ケース１０の水平案内部１８，１８に案内されるが、その際、トリガー２１をガタガタさせずに「スムース」に案内させる必要がある。そこで、本実施例ではトリガー２１の横長状杆部の両側壁に錠ケース１０の水平案内部１８，１８にそれぞれ係合する突片状の係合突起２５が設けられている。係合突起２５は図４で示すようにやや羽状（横長状）である。
【００１７】
したがって、トリガー２１は、非常にシンプルな形態でありながら、錠ケースの水部平案内１８，１８及びトリガーの羽状係合部２５，２５を介してスムースに進退動する。
【００１８】
２６はトリガー２１の下部側壁に形成された動力変換機構の一部（本実施例ではラック）である。
【００１９】
（４）トリガーバネ
前述したトリガーバネ２４は、引戸１の閉戸時に、トリガー２１の先端部２２がストライク４の押し込みピン７に突き当たると、トリガー２１の後退にしたがって収縮し始める。一方、引戸１を開くにつれて先端部２２が押し込みピン７から離れると、トリガー２１の進出にしたがって伸長する。しかしながら、本実施例では図１で示すように押し込みピン７の突出量ｂ（仮想線の間の寸法）に相当する分だけトリガー２１の先端部２２の突出量が少ないので、トリガー２１の横長状杆部２３がフロント１１の内壁面に突き当たると、その突出量は従来のトリガーの突出量と比較すると、相当少ない。それ故に、本実施例では、トリガー２１の先端部２２を「短杆状」と表現している。
【００２０】
（５）鎌片
３０は鎌片である。鎌片３０は、基部に動力変換機構の一部（ピニオン）３１を備えると共に、錠ケース１０内に鎌片用支軸３２を介して軸支され、かつ、トリガー２１の後退動に連動してストライク４と掛合する方何へ回転する。しかして、鎌片３０は、ピニオン３１を有する基部３３と、ストライク４と係合する鉤状先端部３４と、幅広後端部３５とから成る。
【００２１】
上記構成に於いて、図１は開戸状態における押し込みピン７とトリガー２１の状態を示す。この場合、（１）トリガー２１の短杆状先端部２２は、トリガーバネ２４のバネ力により、フロント１１から僅かに突出し、（２）鎌片３０は、錠ケース１０側に回転後退している。
【００２２】
一方図４及び図５は、閉戸時の瞬間における引戸錠Ｘの状態を示す。この場合、（Ａ）トリガー２１の先端部２２は、ストライク４の押し込みピン７により錠ケース１０内に深く入り込んでいる。この時トリガー２１全体は、トリガーバネ２４のバネ力に抗して錠ケース１０内に後退動している。（Ｂ）鎌片４０は、トリガー２１の後退に連動して回転進出し、その鉤状先端部３４がストライク４と掛合状態となる。この時鎌片３０は、支軸３２を中心に動力変換機構２６，３１を介して回転し、いわゆる掛合状態になるが、本実施例では「チリ寸法がＯ」でなくても、すなわち、「設定したチリが仮に１ｍｍ或いは３ｍｍ、或いは又５ｍｍ」あったとしても、鎌片３０は完全に回転突出し、その先端部３４がストライク４と掛合状態となる。
【００２３】
【実施例】
この欄では、図６乃至図９に示す第２実施例及び図１０に示す主要部材の他例を示す。なお、第２実施例以下の説明にあたって、第１実施例と同一の部分には、同一又は同様の符合を付して重複する説明を省略する。
【００２４】
第２実施例において、前記第１実施例と主に異なる点は、トリガー２１Ａの構成である。すなわち、トリガー２１Ａは、開戸時に於いて、トリガーバネ２４のバネ力によりフロント１１から僅かに突出する短杆状先端部２２及びこれにやや幅広に連設する横長状杆部２３を有するトリガー本体４０と、例えばケース身１０ａの幅広側壁３７と対向するようにトリガー本体４０の一側壁４０ａに垂直状に延設するスライド案内長板４１とから成る。このスライド案内長板４１の上端部には鎌片の支軸３２を受け入れる切欠部４５が水平方向に形成されている。
また、錠ケース１０Ａを構成するケース蓋１０ｂの下部寄りの部位には、前記スライド案内長板４１に突設した複数個のスライド係合ピン４２，４２がそれぞれ係合する第２水平案内部４３が形成されている。
【００２５】
しかして、前記第２水平案内部４３は、本実施例ではトリガー用水平案内部１８と同様に水平案内長孔であるが、下部側の第２水平案内部４３の方がトリガー用水平長孔１８よりも長い。またスライド案内長板４１は、開戸時に於いて、錠ケース１０Ａの前壁（フロント又は長板状蓋板）１２の内壁面と当接可能であり、トリガー２１の短杆状先端部２２を僅少量だけ突出させるストッパーの機能を有している。
【００２６】
上記構成に於いては、第１実施例と作用及び効果が同様である。ただし、第２実施例の場合、トリガー２１Ａは進退動する際、錠ケース１０Ａの上部側に設けられた第１水平案内部１８，１８に案内される係合突起２５，２５と、錠ケース１０Ａの下部側に設けられた第２水平案内部４３のスライド係合ピン４２にそれぞれ案内されるので、トリガー２１Ａはより安定的に後退動するという利点がある。
【００２７】
次に図１０に示す主要部材の他例について説明する。７Ａはストライク４Ａの上壁４ａに形成されたメネジ部８と螺合するオネジ部５０並びに鍔部５１を有する交換可能な押し込みピンである。この押し込みピン７Ａは、チリ設定用であり、前述したように設定しようとする「チリ」の間隔、例えば１ｍｍ、３ｍｍ、５ｍｍなどチリ寸法如何によって交換可能である。つまり、押し込みピン７Ａは、長さ寸法の異なるものが、少なくとも二種類以上用意されている。
【００２８】
したがって、この他例の押し込みピン７Ａにあっては、受け金具Ｙ側の押し込みピン７Ａを交換するたけで所望のチリを得ることができるから、選択したチリに対応する引戸錠Ｘを引戸１に取り付けることができる。
【００２９】
なお、本発明の各実施例に於いて、押し込みピン７，７Ａの先端面の形状は、円形、楕円形、トラック形状、矩形状など、その形態は特に問わない。
【００３０】
【発明の効果】
以上の説明から明らかなように、本発明にあっては、トリガーの突出量を少なくすることができる。これにより、トリー自体の小型化を図ることができる。また、ストライク側の押し込みピンが日生活に於いて、違和感を与えず、また邪魔にならない（衣服を引っ掛ける恐れが少ない）。また、ストライク側の押し込みピンに押されるトリガーが安定的に後退動する。さらに、受け金具側のチリ設定用押し込みピンを交換するたけで、選択設定したチリに対応する引戸錠を引戸に取り付けることができる等の効果がある。
【図面の簡単な説明】
図１乃至図５は本発明の第１実施例を示す各説明図。図７乃至図９は本発明の第２実施例を示す各説明図、図１０は本発明の主要部材の他例を示す説明図である。
【図１】発明の実施形態の一例を示す概略説明図（引戸を開いた解錠状態）。
【図２】錠ケースの概略縦断面からの説明図（一部切欠している）。
【図３】主要部材の斜視図。
【図４】閉戸時の概略説明図。
【図５】閉戸時に於いて、戸枠と主要部材との関係を示す説明図。
【図６】第２実施例に於いて、引戸を開いた解錠状態を示す説明図。
【図７】解錠状態に於いて、錠ケースにケース蓋を取付けた場合の説明図。
【図８】トリガーの斜視図。
【図９】閉戸時の概略説明図。
【図１０】本発明の主要部材の他例を示す説明図。
【符号の説明】
Ｘ…引戸錠、１…引戸、Ｙ…受け金具、２…戸枠、３…トロヨケ、４，４Ａ…ストライク、７，７Ａ…押し込みピン、１０，１０Ａ…錠ケース、１１…フロント、１２…蓋板、５，１３…固着手段、１６…バネ支持部、１８…第１水平案内部、１９…軸孔、２１，２１Ａ…トリガー、２２…短杆状先端部、２３…横長状杆部、２５…係合突起、２４…トリガーバネ、２６…ラック、３０…鎌片、３１…ピニオン、３２…支軸、３３…基部、３４…鉤状先端部、３５…幅広後端部、４０…トリガー本体、４１…スライド案内長板、４２…スライド係合ピン、４３…第２水平案内部、ａ…チリ、ｂ…突出量。
【図１】
0004368532.tif 000002
【図２】
0004368532.tif 000003
【図３】
0004368532.tif 000004
【図４】
0004368532.tif 000005
【図５】
0004368532.tif 000006
【図６】
0004368532.tif 000007
【図７】
0004368532.tif 000008
【図８】
0004368532.tif 000009
【図９】
0004368532.tif 000010
【図１０】
0004368532.tif 000011